(57)【要約】【課題】通信販売の顧客等に効果的に訴求できる広告付き包装箱を安価に提供する。【解決手段】周壁の側板１，２から内フラップ３及び外フラップ４を延出し、周壁と共に外フラップ４が外装となるように、内フラップ３と外フラップ４とを重ね合わせて封緘する包装箱において、外フラップ４に覆われる内フラップ３の表面に広告を印刷し、外フラップ４を開くと内フラップ３の印刷が現れるようにする。顧客が商品を取り出そうとして外フラップ４を開けたとき、内フラップ３の表面の広告印刷が必ず顧客の目に入るので、高い訴求効果が得られ、両面印刷を施す必要もないので、提供価格を抑制できる。【選択図】図１
2007261684.tif 000002
【特許請求の範囲】
【請求項１】
周壁の側板から内フラップ及び外フラップを延出し、周壁と共に外フラップが外装となるように、内フラップと外フラップとを重ね合わせて封緘する包装箱において、外フラップに覆われる内フラップの表面に広告を印刷し、外フラップを開くと内フラップの印刷が現れるようにしたことを特徴とする包装箱。
【請求項２】
請求項１に記載の包装箱において、内フラップの表面に、広告としてキャンペーンの告知情報を印刷したことを特徴とする包装箱。
【請求項３】
請求項２に記載の包装箱において、内フラップの告知情報印刷部の一部を、切取式の応募券としたことを特徴とする包装箱。
【発明の詳細な説明】
【技術分野】
【０００１】
この発明は、通信販売の商品配送等に使用される包装箱に関するものである。
【背景技術】
【０００２】
一般に、通信販売で顧客に配送される商品は、周壁の側板から内フラップ及び外フラップを延出し、周壁と共に外フラップが外装となるように、内フラップと外フラップとを重ね合わせて封緘する段ボール製の包装箱に収納される。
【０００３】
この包装箱には、通常、外装の表面に通信販売業者の商標等の表示が印刷されるが、下記特許文献１には、広告面積拡大のため、外フラップ及び内フラップの裏面にも広告を印刷した包装箱が記載されている。
【０００４】
【特許文献１】登録実用新案第３１０４８８５号公報
【発明の開示】
【発明が解決しようとする課題】
【０００５】
しかしながら、上記特許文献１に係る包装箱では、開封した際、外フラップ及び内フラップを反転させるまで折り返さなければ、その裏面の広告印刷を正視できず、十分な訴求力が得られないという問題がある。
【０００６】
また、製造に際し、段ボールの表裏に印刷する必要があり、そのような両面印刷を施すには多大なコストがかかるという問題もある。
【０００７】
そこで、この発明は、通信販売の顧客等に効果的に訴求できる広告付き包装箱を安価に提供することを課題とする。
【課題を解決するための手段】
【０００８】
上記課題を解決するため、この発明は、周壁の側板から内フラップ及び外フラップを延出し、周壁と共に外フラップが外装となるように、内フラップと外フラップとを重ね合わせて封緘する包装箱において、外フラップに覆われる内フラップの表面に広告を印刷し、外フラップを開くと内フラップの印刷が現れるようにしたのである。
【０００９】
また、内フラップの表面に、広告としてキャンペーンの告知情報を印刷したのである。
【００１０】
さらに、内フラップの告知情報印刷部の一部を、切取式の応募券としたのである。
【発明の効果】
【００１１】
この包装箱では、顧客が商品を取り出そうとして外フラップを開けたとき、内フラップの表面の広告印刷が必ず顧客の目に入るので、高い訴求効果が得られ、両面印刷を施す必要もないので、提供価格を抑制できる。
【００１２】
そして、この面には、通信販売業者が他の業者の広告を印刷して広告料収入を得たり、キャンペーンの告知情報を印刷して、テレビＣＭやチラシ印刷等に要する費用を削減したりすることができる。
【００１３】
また、その印刷部の一部を切取式の応募券として、別途印刷した応募券を箱内に同封することなく、顧客に対してキャンペーンに応募する手段を提供することができる。
【発明を実施するための最良の形態】
【００１４】
以下、この発明の実施形態を添付図面に基づいて説明する。
【００１５】
図１に示す第１実施形態に係る包装箱は、通信販売の商品配送に使用される段ボール製のものであり、周壁をなす各一対の側板１，２から内フラップ３及び外フラップ４をそれぞれ延出し、周壁と共に外フラップ４が外装となるように、内フラップ３と外フラップ４とを重ね合わせて、粘着テープ等で封緘する構成となっている。
【００１６】
この包装箱の外装表面には、通信販売業者の商標等の表示が印刷され、封緘状態で外フラップ４に覆われる内フラップ３の表面には、通信販売の顧客が注文した商品と関連のある商品を取り扱う他の業者の広告が印刷されている。
【００１７】
上記のような包装箱では、顧客が商品を取り出そうとして外フラップ４を開けたとき、内フラップ３の広告印刷が現れて、必ず顧客の目に入ることとなる。
【００１８】
このため、他の業者は、不特定多数の消費者を対象とする広告に比べて、広告費を抑制しつつ、的を絞った効果的な広告が可能となる。
【００１９】
一方、包材メーカーは、他の業者から広告料収入を得ることができ、両面印刷を施す必要もないので、通信販売業者に対して安価に、場合によっては無償で包装箱を提供することができる。
【００２０】
そして、通信販売業者は、商品の発送に際して、包装に要する費用を抑制でき、利益率が改善され、顧客へさらに良質のサービスを提供できるようになる。
【００２１】
また、図２に示す第２実施形態に係る包装箱のように、内フラップ３の表面に、広告としてキャンペーンの告知情報を印刷すると、告知のためのテレビＣＭやチラシ印刷等に要する費用を削減できる。
【００２２】
この場合、例えば、内フラップ３に、キャンペーン告知の印刷と共に、発送物の内容を特定するシリアルナンバーを表示したシール５を貼り付けておき、顧客がインターネットで次回の商品注文をする際、パソコンや携帯電話からシリアルナンバーを入力して、通信販売業者側のサーバーで登録されている購入情報や発送先の情報と照合し、特定地域の顧客にのみキャッシュバックを行う等のサービスが可能となる。
【００２３】
また、図３に示す第３実施形態に係る包装箱のように、内フラップ３の告知情報印刷部の一部を、応募券６のはがきとして、ミシン目状の切目線７により切り取れるようにしておくと、別途印刷した応募券を箱内に同封することなく、顧客に対してキャンペーンに応募する手段を提供することができる。この場合、包装箱の材料としては、板紙や薄手の段ボールを使用する必要がある。
【００２４】
なお、図１乃至図３の包装箱を粘着テープにより封緘する場合には、内フラップ３の表面全体に広告を印刷できるが、内フラップ３と外フラップ４とを接着剤により貼り合わせて封緘する場合には、接着剤の塗布部分を避けて印刷するのが望ましい。
【００２５】
また、図４に示す第４実施形態に係る包装箱のように、化粧品等を収納する小型のものの場合には、テープ封緘や接着剤による封緘に代えて、折曲片の差し込みにより封緘するものとしてもよく、一方の内フラップ３を長くしておき、この内フラップ３に美麗なイメージ広告の印刷等を施してもよい。
【００２６】
ところで、上記各実施形態では、周壁が四角筒のものを例示したが、周壁の隅部を面取りした多角筒状の周壁を有する包装箱においても、内フラップの表面に同様の印刷を施して、同様の効果を得ることができる。
【００２７】
また、周壁の側板が予め接合された溝切型の段ボール箱を例示したが、商品を包み込む際に側板を接合するラップラウンド型の段ボール箱等においても、内フラップの表面に同様の印刷を施して、同様の効果を得ることができる。
【図面の簡単な説明】
【００２８】
【図１】この発明の第１実施形態に係る包装箱を示す斜視図
【図２】同上の第２実施形態に係る包装箱を示す斜視図
【図３】同上の第３実施形態に係る包装箱を示す斜視図
【図４】同上の第４実施形態に係る包装箱を示す斜視図
【符号の説明】
【００２９】
１，２  側板
３  内フラップ
４  外フラップ
５  シール
６  応募券
７  切目線
【図１】
2007261684.tif 000003
【図２】
2007261684.tif 000004
【図３】
2007261684.tif 000005
【図４】
2007261684.tif 000006